(57)【要約】【課題】  オス端子がメス端子から抜け出ることがなく、しかもオス端子をメス端子へ簡単に接続できるようにした面状ヒーターの接続端子を提供することを目的とする。【解決手段】  多数の発熱体ユニット１を接続してなる面状ヒーター１０の接続端子４であって、前記接続端子４を発熱体ユニット１に取り付けたメス端子４０と、該メス端子４０へ挿入可能なオス端子５０とで構成し、前記オス端子５０の外側の一部に挿入方向から徐々に立ち上がるテーパー状の突起５３を形成してなり、前記メス端子４０の一部に前記オス端子５０の突起５３が係合する切欠き４５を形成した。また、オス端子の突起を変形可能に構成した。【選択図】  図１
2006049254.tif 000002
【特許請求の範囲】
【請求項１】
多数の発熱体ユニットを接続してなる面状ヒーターの接続端子であって、前記接続端子を発熱体ユニットに取り付けたメス端子と、該メス端子へ挿入可能なオス端子とで構成し、前記オス端子の外側の一部に挿入方向から徐々に立ち上がるテーパー状の突起を形成してなり、前記メス端子の一部に前記オス端子の突起が係合する切欠きを形成してなることを特徴とする、面状ヒーターの接続端子。
【請求項２】
請求項１に記載する面状ヒーターの接続端子において、オス端子の突起を変形可能に構成してなる、面状ヒーターの接続端子。
【発明の詳細な説明】
【技術分野】
【０００１】  本発明は、多数の発熱体ユニットを敷き並べて構成する面状ヒーターの接続端子に関する。
【背景技術】
【０００２】  多数の発熱体ユニットを用い、現場の寸法、形状に合わせて床面に設置できるようにした暖房用電気ヒーターがある（特許文献１）。
【特許文献１】  特開２００１−２４１６８３号
【発明の開示】
【発明が解決しようとする課題】
【０００３】  特許文献１に示す発明は、オス端子とメス端子を互いに接続しながら多数の発熱体ユニットを並べて床面に設置するものである。
この場合、オス端子をメス端子の間に差し込み、メス端子の挟み込む力でオス端子を固定するものであった。
しかしながら、このような端子の構成では、オス端子がメス端子から抜けやすく、使用中に突然抜け出ることが起こりやすいという欠点があった。【０００４】  本発明は、かかる問題点に鑑み、オス端子がメス端子から抜け出ることがなく、しかもオス端子をメス端子へ簡単に接続できるようにした面状ヒーターの接続端子を提供することを目的とする。
【課題を解決するための手段】
【０００５】  上記のような目的を達成するために、本発明の面状ヒーターの接続端子は、多数の発熱体ユニットを接続してなる面状ヒーターの接続端子であって、前記接続端子を発熱体ユニットに取り付けたメス端子と、該メス端子へ挿入可能なオス端子とで構成し、前記オス端子の外側の一部に挿入方向から徐々に立ち上がるテーパー状の突起を形成してなり、前記メス端子の一部に前記オス端子の突起が係合する切欠きを形成してなることを特徴とするものである。
また、本発明の面状ヒーターの接続端子は、オス端子の突起を変形可能に構成してなるものである。【０００６】  上記課題解決手段による作用は、次のとおりである。
発熱体ユニットのメス端子に、オス端子を差し込む。
ここで、オス端子には挿入方向から徐々に立ち上がるテーパー状の突起が設けられ、メス端子には、この突起と係合する切欠きが設けられている。
また、オス端子の突起は変形可能であるため、メス端子にオス端子を差し込むとき、オス端子の突起がメス端子に押されて変形しながら差し込まれていき、メス端子の切欠きを通過したときに、突起が復元して切欠きに入り込み、互いの端面が接触した状態で係合する。
このようにしてオス端子をメス端子へ差し込みながら、多数の発熱体ユニットを順次接続していく。
オス端子の突起がメス端子の切欠きに係合しているため、使用中にメス端子からオス端子が突然抜け出るということがない。
オス端子の突起は変形可能であるので、発熱体ユニットの接続を解除する場合は、突起を押し下げながら切欠きから外し、メス端子からオス端子を引き抜けばよい。
【発明の効果】
【０００７】  本発明の面状ヒーターの接続端子は、以上説明したようになるから、次のような効果を得ることができる。
＜イ＞オス端子の突起がメス端子の切欠きに係合するので、使用中にメス端子からオス端子が突然抜け出るということがない。
＜ロ＞オス端子の突起は、テーパー状に形成されるとともに変形可能であるため、メス端子へ差し込むだけで簡単に接続することができる。
【発明を実施するための最良の形態】
【０００８】  以下、図面を参照しながら、本発明に係る実施の形態について説明する。
図１は、メス端子とオス端子の関係を示す斜視図である。図２（Ａ）は、オス端子の斜視図で、図２（Ｂ）は、その断面図である。図３は、発熱体ユニットの一例を示す平面図である。図４は、メス端子にオス端子を介して発熱体ユニットを互いに接続した状態を示す平面図で、図５は、同様の断面側面図である。図６は、発熱体ユニットの電気接続状態を示す概略図である。図７は、発熱体ユニットを挟着した床暖房材の一例を示す斜視図で、図８は、多数の発熱体ユニットの接続状態を示す説明図である。【０００９】＜イ＞全体（図１、図３、図８）
本発明の接続端子４は、発熱体ユニット１に取り付けたメス端子４０と、このメス端子４０へ接続可能なオス端子５０とで構成され、オス端子５０をメス端子４０へ差し込むことで多数の発熱体ユニット１をオス端子５０を介して順次接続し、所要の発熱面積を有する面状ヒーター１０を形成していくことができるものである。【００１０】＜ロ＞発熱体ユニット（図３）
発熱体ユニット１は、例えば、略矩形（縦６０センチメートル、横６０センチメートル程度）の絶縁シート（樹脂フィルム）２０の面上に発熱層２１と導電条３０、３１を形成したシート状の発熱体である。
本例では、図から分かるように絶縁シート２０の面上に、カーボン粉を主材料とするカーボン塗料を所定間隔で縞状に塗布又は印刷して四つの発熱層２１を形成する。
２本の導電条３０、３１は、各発熱層２１に電力を供給するためのもので、絶縁シート２０上へ銀粉を主材料とする銀塗料を印刷して形成する。
図３に示すように、導電条３０の一辺に沿って各発熱層２１を接続し、また電気コード３２、３２・・・で導電条３１と各発熱層２１を接続する。
絶縁シート２０の各辺中央に、４個のメス端子４０をそれぞれ取り付ける。
メス端子４０は、後述するように電気コード３３、３４を介して導電条３０、３１と電気的に接続する。
したがって、メス端子４０、電気コード３３、３４、導電条３０、３１、各発熱層２１が電気的に接続され、各発熱層２１はそれぞれ独立した電気回路を構成する（図６参照）。【００１１】  図７に、発熱体ユニット１を挟着した床暖房材の一例を示す。
下方から順に裏材１１、断熱材１２、発熱体ユニット１、熱伝導板１４、フローリング材１５を層畳して床暖房材を構成している。
発熱体ユニット１は、カーボンを塗布又は印刷した発熱層２１の部分で発熱する局部加熱のため、温度にムラが生じるが、アルミ板などの熱伝導板１４を一面に被着することで、温度を均一にすることができる。
断熱材１２の各辺には、４個のメス端子４０を取り付けるための切欠き部１３が４箇所設けられている。【００１２】＜ハ＞メス端子（図１、図４、図５）
メス端子４０は、箱形をなすプラスチック製のハウジング４１に差込口４２を形成し、さらに差込口４２から１対のＩ型スリット４３、４３を形成している。
そしてハウジング４１の内部に各スリット４３、４３に対応して一対の受け端子４４、４４を固定してなるもので、一般的に使用されている交流用コンセントと同様な構造である。
ハウジング４１の一部に、後述するオス端子５０の突起５３が係合する切欠き４５を設けてある。
切欠き４５は、突起５３を収容できる大きさである（図５参照）。
両受け端子４４、４４は、図４から分かるように電気コード３３、３４を介してそれぞれ導電条３０、３１と接続している。
前記したように、断熱材１２の切欠き部１３にメス端子４０を配置することで、各メス端子４０が発熱体ユニット１の各辺から突出することがない。【００１３】＜ニ＞オス端子（図１、図２、図４、図５）
オス端子５０は、メス端子４０に差し込んで、発熱体ユニット１同士を互いに電気的に接続するためのものである。
オス端子５０は、例えば箱形をなすプラスチック製のハウジング５１に、導電金属製の一対のプラグ端子５２、５２を側面から突出して構成する。
突片状をなすプラグ端子５２、５２は、互いに平行してハウジング５１に固定され、前記メス端子４０のＩ型スリット４３、４３に挿入可能である。
図（Ａ）２に示すように、ハウジング５１の上面一部を切り欠いて、そこに挿入方向から徐々に立ち上がるテーパー状の突起５３を設ける。
突起５３の先に舌片５３ａがあり、舌片５３ａを押すことで、図２（Ｂ）の２点鎖線で示すように変形可能となっている。
凹み５３ｂを設ければ、変形が容易である。
前記したようにオス端子５０は、発熱体ユニット１同士を互いに接続するためのものであるため、一対のプラグ端子５２、５２はハウジング５１の対向する二側面からそれぞれ突出し、また突起５３も二つ設けられる。
１対のプラグ端子５２、５２を、メス端子４０のＩ型スリット４３、４３から差し込んで、このプラグ端子５２、５２を一対の受け端子４４、４４が挟み込むことで、プラグ端子５２、５２と受け端子４４、４４が接触し、電気的に接続される。【００１４】  家庭用コンセントに接続する電気コード２５にも、その一端に同じ構造のオス端子５０を取り付けておく（図６、図８参照）。
電源コード２５には、温度調整や、漏電を検知し、電源を遮断するコントロールパネル２６を介在しておくのが好ましい。【００１５】  オス端子５０をメス端子４０へ差し込んだ状態では、突起５３は切欠き４５内に入り込み、両端面が当接し、係合する。
また、この状態において、メス端子４０の上面には隙間４６が生じており、舌片５３ａを押すことができるようになっている（図５参照）。
このようにしてメス端子４０にオス端子５０を次々と差し込んで、多数の発熱体ユニット１を電気的に順次接続していくことができる。【００１６】  また、ハウジング５１の外側に、Ｏリング５４などの弾性部材を２箇所設けてあり、オス端子５０をメス端子４０へ差し込んだ状態では、メス端子４０とオス端子５０との間に隙間が生じることがなく、ゴミなどが浸入しない。
メス端子４０の差込口４２の内側に溝４６を設け、オス端子５０のハウジング５１の外側にこの溝４６と凹凸嵌合する突部５５を設けて、オス端子５０を上下反転して挿入することができないようにするのが好ましい（図１）。
なお、溝４６や突部５５を設けることなく、スリット４３、４３、プラグ端子５２、５２の位置を左右にずらすことで、オス端子５０を上下反転して挿入できないようにしてもよい（図２（Ａ））。【００１７】＜ホ＞作用
発熱体ユニット１のメス端子４０のスリット４３、４３に、オス端子５０のプラグ端子５２、５２を差し込む。
ここで、オス端子５０には、挿入方向から徐々に立ち上がるテーパー状の突起５３が設けられ、しかもこの突起５３は変形可能であるため、オス端子５０をメス端子４０に差し込むとき、突起５３がメス端子４０に押されて変形しながら差し込まれていく。
変形した突起５３がメス端子４０の切欠き４５を通過したときに、復元して突起５３が切欠き４５に入り込み、互いの端面が接触した状態で係合する。
また、図８に示すように、発熱体ユニット１ａのメス端子４０に電源コード２５のオス端子５０を接続する。【００１８】  図８に示す例では、発熱体ユニット１ａの２辺のメス端子４０にオス端子５０を介して二つの発熱体ユニット１ｂ、１ｃを接続する。
発熱体ユニット１ｂには、オス端子５０を介して発熱体ユニット１ｄを接続し、さらに発熱体ユニット１ｄにはオス端子５０を介して発熱体ユニット１ｆを接続する。
発熱を必要としない発熱体ユニットには、メス端子４０の差込口４２にプラスチックなどからなる蓋状の遮断部材７を取り付けて電気回路を遮断する。
本例では発熱体ユニット１ｃには、遮断部材７、７を介して発熱体ユニット１ｄ、１ｅを接続し、発熱体ユニット１ｅと発熱体ユニット１ｆも遮断部材７を介して互いに接続している。
このようにして、多数の発熱体ユニット１ａ〜１ｆのメス端子４０にオス端子５０、あるいは遮断部材７を差し込みながら、これらを順次接続していく。
周辺部のメス端子４０にもそれぞれ遮断部材７を接続し、電源コード２５を介して電力を供給すると、発熱体ユニット１ａ、１ｂ、１ｃ、１ｄ、１ｆが通電し、発熱体ユニット１ｅを除いた発熱体ユニット１ａ、１ｂ、１ｃ、１ｄ、１ｆが発熱する。【００１９】  本発明の接続端子４は、オス端子５０の突起５３がメス端子４０の切欠き４５に入り込み、互いの端面が係合しているため、使用中にメス端子４０からオス端子５０が突然抜け出るということがない。
オス端子５０の突起５３は、舌片５３ａを押すことで変形可能であるので、隙間４６から舌片５３ａを押し下げれば突起５３は容易に切欠き４５から外れ、発熱体ユニット１を取り外すことができる。
このように本発明の接続端子４によれば、オス端子５０をメス端子４０へ差し込むだけで、多数の発熱体ユニット１を簡単に接続していくことができ、しかもいったん接続すればオス端子がメス端子から抜け出るという不具合がない。
【図面の簡単な説明】
【００２０】
【図１】メス端子とオス端子の関係を示す斜視図。
【図２】オス端子を示す図で、（Ａ）は斜視図で、（Ｂ）はその断面図。
【図３】発熱体ユニットの一例を示す平面図。
【図４】メス端子にオス端子を介して発熱体ユニットを互いに接続した状態を示す平面図。
【図５】図４と同様の断面側面図。
【図６】発熱体ユニットの電気接続状態を示す概略図。
【図７】発熱体ユニットを挟着した床暖房材の一例を示す斜視図。
【図８】多数の発熱体ユニットの接続状態を示す説明図。
【符号の説明】
【００２１】１・・・・発熱体ユニット
２１・・・発熱層
３０、３１・・・導電条
３２〜３７・・・電気コード
４・・・・接続端子
４０・・・メス端子
４２・・・差込口
４３・・・スリット
４４・・・受け端子
４５・・・切欠き
５０・・・オス端子
５２・・・プラグ端子
５３・・・突起
【図１】
2006049254.tif 000003
【図２】
2006049254.tif 000004
【図３】
2006049254.tif 000005
【図４】
2006049254.tif 000006
【図５】
2006049254.tif 000007
【図６】
2006049254.tif 000008
【図７】
2006049254.tif 000009
【図８】
2006049254.tif 000010